(57)【要約】【課題】  記録待機状態までの時間を短縮し、貴重な記録の瞬間を記録できないといった状況を無くすことが出来る記録再生装置を提供する。【解決手段】  着脱可能な記録媒体に情報を記録または再生する記録再生装置であって、記録媒体の装着／取り出し動作を行う記録媒体着脱機構と、該着脱機構と連動する切り換え機構を有し、電源の切断操作が行われたときに上記切り換え機構の状態を記憶することを特徴とする。【選択図】        図１
2006302473.tif 000002
【特許請求の範囲】
【請求項１】
着脱可能な記録媒体に情報を記録または再生する記録再生装置であって、
記録媒体の装着／取り出し動作を行う記録媒体着脱機構と、該着脱機構と連動する切り換え機構を有し、電源の切断操作が行われたときに上記切り換え機構の状態を記憶することを特徴とする記録再生装置。
【請求項２】
電源切断操作が行われたときに記録媒体の情報を記憶することを特徴とする請求項１に記載の記録再生装置。
【請求項３】
電源投入時に該記録再生機構の状態が電源切断時と変化していない場合には既に記憶されている記録媒体情報を利用して記録再生を行うことを特徴とする請求項２に記載の記録再生装置。
【請求項４】
着脱可能な記録媒体に情報を記録または再生する記録再生装置であって、
記録媒体の装着／取り出し動作を行う記録媒体着脱機構と、該着脱機構と連動する切り換え機構を有し、上記切り換え機構の状態により上記記録再生装置の電源投入後の装置の起動動作を変えることを特徴とする記録再生装置。
【請求項５】
電源供給可能状態にて電源切断時に記録媒体の交換を行っても記録媒体装着時に電源を投入しないことを特徴とする請求項４記載の記録再生装置。
【請求項６】
切り換え機構は間欠機構により構成されていることを特徴とする請求項４記載の記録再生装置。
【請求項７】
間欠機構はワンウェイクラッチにより構成されていることを特徴とする請求項６記載の記録再生装置。
【請求項８】
ワンウェイクラッチは媒体取り出し時に着脱機構のダンパーとして作用することを特徴とする請求項７記載の記録再生装置。
【請求項９】
切り換え機構はトグル機構によって構成されていることを特徴とする請求項４記載の記録再生装置。
【請求項１０】
前記トグル機構の反転動作を録再生ヘッドの移動動作により行うことを特徴とする請求項１０記載の記録再生装置。
【発明の詳細な説明】
【技術分野】
【０００１】
本発明は記録再生装置に関する。
【背景技術】
【０００２】
従来、光ディスクなどの記録媒体に対してデータを記録再生する装置が知られている。この種の装置では、電源投入時、あるいは、ディスク交換時に、ディスクに対してレーザパワーを変えながらデータを試し書きし、そのデータを読み取ることで、最適なレーザパワーに調整する処理を行う。
【０００３】
また、ディスクが交換された場合には、ディスク上に記録されている管理情報を読み取り、この管理情報に基づいてディスクの空きエリアなどを認識している。
【０００４】
このようなレーザパワーの調整、あるいは、管理情報の読み取り処理は、数秒〜数十秒かかることが一般的である。そのため、ディスク交換時においては、記録可能な状態となるまでに時間がかかるという問題がある。
【０００５】
そこで、電源オフの状態でディスクが交換された場合には、一時的にディスクより管理情報を読み取って内蔵する半導体メモリに記憶しておき、次回電源が投入された場合にメモリに記憶しておいた管理情報に基づいて空き領域を認識することで、記録可能となるまでの時間を短縮することが考えられている（例えば、特許文献１参照。）。
【特許文献１】特開２００３−２４４５９３号公報
【発明の開示】
【発明が解決しようとする課題】
【０００６】
このような背景のもと、本発明は、ディスクの交換が無い場合における記録動作までの時間短縮が出来る記録再生装置を提供することを目的とする。
【課題を解決するための手段】
【０００７】
本発明においては、着脱可能な記録媒体に情報を記録または再生する記録再生装置であって、記録媒体の装着／取り出し動作を行う記録媒体着脱機構と、該着脱機構と連動する切り換え機構を有し、電源の切断操作が行われたときに上記切り換え機構の状態を記憶することを特徴とする。
【発明の効果】
【０００８】
本発明によれば、記録待機状態までの時間を短縮し、貴重な記録の瞬間を記録できないといった状況を無くすことが可能となる。
【発明を実施するための最良の形態】
【０００９】
以下本発明を実施するための最良の形態を、実施例により詳しく説明する。
【実施例】
【００１０】
まず、本発明に係る実施例の説明に先立ち、本発明に関連した構成について説明する。図１は本発明に先立つ記録再生装置の構成を示す図である。１はディスクを収納するところのカートリッジホルダー、２はシャーシ、３はカートリッジホルダーを記録再生位置に保持するところのロックピン、４はロックピンを係止するところのロックレバーを示す。５はディスクカートリッジ内のメモリ情報の受け渡しを行うところの切片を示す。
【００１１】
図２はメモリ内蔵のディスクカートリッジを示す図である。６はディスクカートリッジ、７はディスクカートリッジに設けられた切片端子を示す。ディスクカートリッジ内にメモリを設けることによりディスクカートリッジの値段が高価な物になってしまう。
【００１２】
図３〜５は本発明の第一の実施例を示す図である。
【００１３】
図３はディスクホルダーが降下位置にある状態を示す。７はディスクホルダーと一体に形成されたところのギア部である。９はディスクホルダーに形成されたギア部７と噛合うところのギアを示す。８はギア９と一方向の回転に追従するように構成された円盤部であり、大径部分と小径部分から構成されている。
【００１４】
図９にギア９と円盤部８の構造を示す。円盤部８とギア９はクラッチバネ１１によって結合されている。円盤部８はギア９を介して圧縮バネ１５によって、スリップ部材１２に押し当てられている。クラッチバネ１１とスリップ部材１２との関係は、図３においてギア９が時計方向に回転するときには、クラッチバネ１１が緩み方向に作用するため、円盤部８はスリップ部材１２のトルクによって固定されるために回転しない状態で保持され、ギア９のみが回転する。
【００１５】
次に、ギア９が反時計方向に回転するときには、クラッチバネ１１が締まり方向に作用し、ギア９と連動して円盤８がスリップ部材１２のトルクに抗して回転するように構成されている。
【００１６】
図１０に示すように、円盤部８はフォトセンサー１０によって大径部分にある状態と、小径部分にある状態が判別されるように構成されています。
【００１７】
図３に戻り本発明の実施例について説明を行う。図３はディスクカートリッジが収納され記録再生可能な状態にある。ディスク記録再生装置においては、ディスクの特性に合わせて記録再生条件やサーボの特性を装置自身があらかじめ使用前にテストを行い，そのデータをもとに記録再生を行うため、ディスクを最初に使用するときにはこのテスト動作（以下ドライブの初期化動作と呼ぶ）を行う必要がある。
【００１８】
このとき、すでにドライブの初期動作は行なわれている。
【００１９】
図３において円盤部８の大径部分がフォトセンサー１０により検知されている。この状態で電源を一旦オフすると装置はドライブの初期動作によって得られた情報とフォトセンサー１０の出力を記憶する。この状態で再び電源をオンにすると、まず記憶しておいたフォトセンサーの出力と現在のフォトセンサーの出力を比較し変化のない場合にはディスクの交換が行なわれていないと判定し、すでに記憶されているドライブの初期化動作で得られた情報をそのまま使用するため、記録待機状態となる。
【００２０】
従来の例では電源がオンになるたびにドライブの初期化動作を行うため、記録待機状態になるまでの時間が掛かってしまっていた。
【００２１】
次にディスク交換が行なわれた状態の動作を示す。ディスクの取り出し操作が行なわれると、まず装置はドライブの初期動作によって得られた情報とフォトセンサー１０の出力を記憶する。
【００２２】
次に図４に示すようにロックピン３とロックレバー４の係合が外れ、カートリッジホルダー１がバネ（図示せず）の力によって上昇する。このときホルダーに形成されたギア部７によりギア９が反時計方向に回転する。そしてクラッチバネ１１を介して円盤部８がスリップ部材１２の力に抗して回転する。このときスリップ部材１２の力によるダンパー効果でホルダー１は滑らかに上昇する。
【００２３】
上昇位置では円盤部８は１８０度回動するように構成されている。このときフォトセンサー１０部分の円盤部８は小径部分にある。この状態でディスクカートリッジ６を交換して、再びホルダー１を記録再生可能状態に降下させる。このときホルダー１に形成されたギア部７により、今度は先程とは逆にギア９が時計方向に回転するため、クラッチバネ１１は空転しダンパー効果のない軽い負荷で降下することができる。そして、円盤部８も回転しない。
【００２４】
この状態で電源をオンにすると、まず記憶しておいたフォトセンサーの出力と現在のフォトセンサーの出力を比較する。このとき記憶されたフォトセンサー１０の出力は大径部であり、現在のフォトセンサー１０の出力は小径部であるため、ディスクの交換が行なわれたと判定し、装置はドライブの初期動作を行ってから記録待機状態となる。
【００２５】
図６に電源オフ時のシーケンスを、図７に電源オン時のシーケンスを示す。
【００２６】
図１１〜１３に本発明の第二の実施例を示す。
【００２７】
図１１はディスクホルダーにディスクが挿入され、ホルダーが降下位置にセットされた状態を示す。１６はホルダーと一体で形成されたところの軸を示す。１７はバネ１８によって符勢されているところのトグルレバーである。トグルレバー１７は軸２０を中心に回動可能に軸支されている。トグルレバー１７はバネ１８によって半時計方向に符勢されている。１０はフォトインターラプターでトグルレバー１７の位置によって信号がオン／オフするように構成されている。１９は光ピックアップである。
【００２８】
光ピックアップ１９は記録再生動作時は図中矢印の範囲を移動するように構成されている。
【００２９】
図１１の状態ではトグルレバー１７によってフォトインターラプタ―１０の光が遮られた状態である。
【００３０】
次に図１２に記録再生動作時の初期化動作時を示す。ディスクが装填され初期化動作が行なわれる前に光ピックアップ１９が通常記録再生動作範囲よりも右側に移動しトグルレバー１７を時計回り方向に押す。トグルレバー１７は光ピックアップ１９によってバネ１８の力に抗して回動され、バネ１８の反転力により時計回り方向に符勢される。このときフォトインターラプタ―１０はトグルレバー１７が移動することによって光の遮りがなくなる。この状態で装置は記録再生動作を行う。
【００３１】
図１３に今度はディスク取り出し時の動きを示す。ディスク取り出し操作によってロックレバー４とロックピン３の係合が外れ、ホルダー１は上昇位置に移動する。このとき軸１６によってトグルレバー１７は半時計方向に回動され、再びトグルレバー１７は半時計方向に符勢される。この状態で再びディスクが挿入され、ホルダー１が降下位置に移動されると再び図１１の状態となる。このときフォトインターラプタ―１０はトグルレバー１７により光が遮られた状態である。したがって、装置に電源が投入されたときにフォトインターラプタ―１０の出力がオンの時にはディスク交換がされた可能性があり、フォトインターラプタ−１０の出力がオフの時にはディスクの初期化動作が完了した状態であることがわかる。
【図面の簡単な説明】
【００３２】
【図１】本発明に先立つディスク装置の構成を示す図である。
【図２】ディスクカートリッジを示す図である。
【図３】本発明実施例のディスクホルダー下降状態を示す図である。
【図４】本発明実施例のディスクホルダー上昇状態を示す図である。
【図５】本発明実施例のディスク交換後のディスクホルダー下降状態を示す図である。
【図６】電源オフ時のシーケンスを示す図である。
【図７】電源オン時のシーケンスを示す図である。
【図８】間欠部材の外観図を示す図である。
【図９】間欠部材の構成を示す図である。
【図１０】円盤部がフォトセンサーによって大径部分にある状態と小径部分にある状態が判別されるように構成されていることを示す図である。
【図１１】第二の実施例のディスク装填時の状態を示す図である。
【図１２】第二の実施例のディスク初期化動作時を示す図である。
【図１３】第二の実施例のディスクホルダー上昇状態を示す図である。
【符号の説明】
【００３３】
１  ディスクホルダー
２  シャーシ
６  ディスクカートリッジ
８  円盤部
９  ギア
１０  フォトセンサー
１１  クラッチバネ
１２  スリップ部材
１７  トグルレバー
【図１】
2006302473.tif 000003
【図２】
2006302473.tif 000004
【図３】
2006302473.tif 000005
【図４】
2006302473.tif 000006
【図５】
2006302473.tif 000007
【図６】
2006302473.tif 000008
【図７】
2006302473.tif 000009
【図８】
2006302473.tif 000010
【図９】
2006302473.tif 000011
【図１０】
2006302473.tif 000012
【図１１】
2006302473.tif 000013
【図１２】
2006302473.tif 000014
【図１３】
2006302473.tif 000015